(57)【特許請求の範囲】
【請求項１】
体の近傍に、面状の吸水材を設けてその気化蒸発熱による冷却効果を得るものにおいて、防水性と透湿性を同時に有する、防水透湿布または防水透湿シートで前記面状の吸水材の裏表両面を包んで、かつ、前記防水透湿布または防水透湿シートと前記吸水材面に隙間を設け、前記隙間に外部から水を入れられる注水口を設け、かつ、前記吸水材を包み込んだ防水透湿布または防水透湿シートの両面、所々を縫製または接合加工により、前記面状の吸水材の上下左右全面に水が流れる水路を構成し、前記水の注水口から挿入された水が前記吸水材面全体へ分散し水分を浸透保水させて、その気化熱で冷却することを特徴とする装着具
【請求項２】
吸水材の毛細管現象で水分を吸い上げることが出来る限度程度に垂直方向に所々分割して、水平方向に幅を有し水溜まりが出来きる様に、かつ、連続階段状に上から下方に水路を構成出来る様に、前記吸水材を包み込んだ防水透湿布または防水透湿シートの両面を縫製または高周波熱接着等の接合加工して水の仕切りを設け、前記分割毎の水溜まりの水を吸水材に浸透保水させ、その毛細管現象で、吸水材上下全面に渡り、均等に水分を補給し、その気化熱で長時間冷却効果を得ることを特徴とする請求項１の装着具
【請求項３】
注水口から挿入された水が、下端にまで達したことを検知する為、下端に吸水材をくり抜き、防水透湿布または防水透湿シートのみで下端に溜まった水を封じ、人の指での水の感知場所を設けたことを特徴とする請求項１、または２の装着具
【請求項４】
小型フアンからの送風空気取り入れ口を設け、連続階段状の水路を風路として、水の注水口をその送風空気の排気口として兼ねて使用し、前記面状吸水材に水が浸透保水後に、前記小型フアンの送風により吸水材の表面の気化蒸発を助長することを特徴とする前記請求項１、または、２の装着具
【請求項５】
注水された水、又は前記水溜りの水の近傍、または、それに接してペルチェ効果電子冷却素子、または、保冷剤等の冷却源を設けたことを特徴とする前記請求項１、または、２の装着具
【発明の詳細な説明】
【技術分野】
【０００１】
本発明は吸水材に保水された水分の気化を助長させて体を冷却する冷却服に関する
及び、頭部等を冷やす同様な冷却カバー等、装着具に関する。
【背景技術】
【０００２】
夏の屋外での暑さ対策、熱中症対策として、人体や犬等動物が着用できるベスト等の服に水分を保水する吸水材を面状に設け、その水分の蒸発による気化熱で熱を吸収し、体を冷やすことが出来る冷却服が知られている。
【先行技術文献】
【特許文献】
【０００３】
例えば、先行技術文献として、特開平１１−１７２５１０には、面状の吸水材を水で満たした容器等の水に全面を浸してから、余分な水分を絞り、それを消防服の胸、または、背中等に設けられたポケットに入れ、装着することにより、火災等の高温環境下でも体を冷却する構成としたことを記述した例がある。
また、特開平２００１−４０５１２では、上端にフアンを設け、外側布と内側布の間に単なる風路空間を設けて空気を流し、人体を空冷却するベストを冷却服とした記述例がある。
【発明の概要】
【発明が解決しようとする課題】
【０００４】
真夏の炎天下での屋外作業や、焼却炉近傍、火災消防作業等高温環境下で人体の上半身に十分な冷却効果を得るためには、ベスト等の服に縫製等で予め組み込んで、上半身のできるだけ全体を面状の吸水材で覆うことが必要である。そして、これを冷却効果の高い冷却服とするには、下記の▲１▼から▲４▼のような課題があった。【０００５】
▲１▼この吸水材の全面状で分散均等に水を浸透吸水保水させるためには、前記服ごと水に浸すための（いわゆるどぶ浸け）水を満たした大きな容器が必要であること。
▲２▼また、余分な水分を絞り排除するためには、両手でかなりの力でその服をよじり絞る動作が必要である。
▲３▼さらに、炎天下等での冷却効果時間が経過し、吸水材の水分が気化し終り、乾燥状態に至ると、再び、その服を脱いで、再度、前記水を満たした大きな容器を用意し水分を浸透保水させて、再び着用する動作をしなければならない煩わしさがある。
▲４▼この吸水材を挟み包んだ中間布と内側布の間を、吸水材が保水する水分の気化を助長する風路と風路に風を送るフアンをこの冷却服に組み込みたいが、冷却服全体を前記水が満たされた容器に浸し、よじり絞るのでは、風路はよじられて所々閉じられると大きな風圧損を生じたり、また、フアンは水に弱く、これらは組み込めない。
という解決しなければならない課題があった。
【課題を解決するための手段】
【０００６】
上記の課題を解決するために本発明の冷却服は、１例として、冷却服の外側面のほぼ全面の大きさに面状に設けられた、その自重の数倍以上の水分を吸水できる吸水材を中間布と内側布で挟み込み包んで互いを重ね合わせ一体となるように、所々部分的に縫製またはシール接合により防水接合する。また、この接合部を前記面上の吸水材の全面に渡り、複数分散して設けると、本発明の冷却服は、例えば人の上半身に着用した状態のままで、上部に設けられた水の入れ口（注水口）から、ペットボトル等で水を挿入すると、面上の吸水材のほぼ全面に渡り、階段状に上部から、下端方向に向かって、左右に蛇行しながら、水が流れる水路を形成し、前記吸水材全面に分散して水分を供給することができる。
さらにこのとき、上記水路に適度な傾斜角度やくぼみを有し水平方向に長さを有する水の仕切りを設け一時的な貯水の為の水溜まり部を本冷却服の上下左右全面にわたり、複数設けると、吸水材自身や隣接する中間布の毛細管現象により、時間の経過と共に、前記水溜まり部の上方に広く水分を浸透分散させることが出来きるので、例えば人の上半身前面のほぼ全面に対する広さ有する吸水材面の、上下左右全面にわたり、適度な距離をもって複数の前記水の仕切りを設ければ、吸水材の全面に渡り、水を分散でき、かつ、ほぼ均等に水分を浸透吸水保水させことが出来る。
このように本発明の手段により、前述の解決しようとする課題の▲１▼、▲２▼、▲３▼は解決する。
また、前記ペットボトルから挿入される水が、つい、入れすぎて前記吸水材全体全面での吸水可能最大量をこえ、防水布またはシートの折り返し部を超えて、冷却服から水があふれ出てしまうことが考えられるが、これを未然に防ぐ為に、冷却服下端に水の到達検知部を設けることによるこの解決方法も提示する。【０００７】
また、さらに、本発明の冷却服の前記述の水路の下部に空気による空気取り入れ口と電池駆動のモータによる小型フアンを設け、水の挿入と、前記毛細管現象による水溜まりの水が吸水材に吸収されて無くなった後、前記小型ファンによる送風を行こない、前記述の水路を風路とし、冷却服の上部の水の入れ口を排気口とするような手段を設けることにより、本冷却服を着用し続けながら、前記吸水材面の気化を大いに助長させ、さらに、冷却効果を高められるので、前記課題▲４▼も解決する。
【発明の効果】
【０００８】
本発明の冷却服によれば、下記の様な使用上、機能上の効果がある。
▲１▼冷却服の前面、背中面（後面）のほぼ全面にわたり前記吸水材を面状に設けた場合、この大きな面状の吸水材のほぼ全面に分散均等に水を浸透保水させるためには、前記服ごと水に浸すための水を満たした大きな容器が必要であること、また、余分な水分を除去するには、両手でかなりの力でその服をよじり絞る動作が必要であったが、本発明では、冷却服を着用したまま、冷却服の上部の水の入れ口よりペットボトル等で水を簡単に挿入でき、かつ、前記述の吸水材のほぼ全面にわたりその水を分散させ、均等に水分を浸透保水させることが出来るので、前記の大きな容器も、よじり絞る力も必要なく、力の弱い老若男女が簡易に使える効果がある。【０００９】
▲２▼さらに、炎天下等での冷却効果時間が経過し、前記吸水材の水分が気化し終わり、乾燥状態に至ると、再び、その服を脱ぐこともなく、また、前記水を満たした大きな容器を用意することもなく、手軽に、前記水の入れ口からペットボトル等で水を補給することで、再び前記吸水材のほぼ全面にわたり水を分散させ、均等に水分を浸透保水させることにより冷却服全面にわたり冷却効果を再現できる。
このことは、作業で使用時、また、スポーツで使用時、動きながら、走りながらでも容易に水を補給でき、冷却効果を連続して長時間持続できる画期的な効果が期待できる。【００１０】
▲３▼また、このとき、水の入れ口から水を入れすぎると、冷却服下端の防水布またはシートの折り返し部から水が溢れて、ズボン等を水で濡らし、不快になる場合が考えられるが、上記折り返し部の一部に例えば非常に厚みのある吸水材面を一部切り取り除いた部分による水の到達検知部を設けることにより、例えば右手で上部の水の入れ口よりペットボトル等で水を補給し、左手の指先で、下端に設けた前記水の到達検知部を感触し、水が下端に達したことを検知し、前記水の補給を中止し、水が溢れ出ることを防ぐことができるという効果がある。【００１１】
▲４▼  また、前記述の水溜まり部を構成する縫製等による接合による水仕切りの水路の水の流れとは逆に風を送風するように、前記述の小型フアン、空気ダクトによる空気取り入れ口を設けたので、上記仕切りは風の送風順方向に傾斜角を有するので、その分、送風抵抗を小さすることができる風路とすることができる。
つまり、前記面状の吸水材に全面にわたり分散均等に水分を浸透保水させるために冷却服の上部から下部へ水を流す為の前記水路が、水を流し終わった後、また、水溜まりの水が、前記毛細管現象で吸水材に吸収された後に、逆に下部から上部へ風を送風し、面状の吸水材面の全面にわたり均等に気化を助長する為の風路となるので、前記風路を構成するのに別途構成物を必要としない、低コストで実現できる、いわゆる一石２鳥の大きな効果を得ることができる。
▲５▼本発明の図１２、図１３、図１４で説明の頭部を冷やす冷却カバーの例でも同様に、頭部を面状に覆う吸水材の毛細管現象により、水分が行きわたる高さ限度の垂直５〜１０ｃｍ間隔程度に、水平に伸びた水仕切り部を設け、水溜め部が出来きるようにする。よって、前記吸水材の毛管現象で、それぞれの水溜め部の上方向に水分が行きわたる。よって、前記面状の吸水材の上下左右全面に均一等に、それぞれの水溜め部の水分が無くなるまで吸水させられるので、長時間気化熱による冷却効果を得ることが出来る。
この様に、本発明の冷却服や冷却カバーは人にも、動物にも使えるものであるから、これらを総称して、冷却装着具とも言える。
▲６▼本発明の図１５、１６、１７で説明の冷却装着具の例でも示す様に、水溜りの水近傍、または、それに、接してペルチエ効果素子や保冷剤等の冷熱源を設けるので、この装着具の使用状態の姿勢変更により、前記水を逆流させ、温まった水と冷熱源との接触で冷えた水とを混合させ、全体に均一に冷却水を吸水材に浸透させ、より一層の気化熱効果で冷却効果を得ることが出来る。
【図面の簡単な説明】
【００１２】
図１は、本発明の一実施形態である冷却服の前側の概略正面図である。
図２は、本発明冷却服の図１で示すＡ−Ａの概略断面図である。
図３は、本発明冷却服下端の水の到達検知部近傍を示す図である。
図４は、図３で示すＢ−Ｂ’断面を示す図である。
図５は、本発明の冷却服を着用して水を挿入している使用状態を示す図である。
図６は、本発明の冷却服の機能を後面（背中面）にも設けたことを示す図
図７は、本発明の冷却服の下端に空気挿入ダクトによる空気取り入れ口と電池駆動等の電動小型フアンを設けた例を示す図である。
図８は、本発明の冷却服の水の仕切りをダムのように構成したことを示す図である。
図９は、本発明の冷却服の水の仕切りの別の構成実施例を示す図である。
図１０は、図９で示したＣ−Ｃ’断面を示す図である。
図１１は、防水布またはシートを外側に配置した例を示す図である。
図１２は、本発明の頭部を冷やす冷却カバーの使用状態を示す図である。
図１３は、本発明の冷却カバーの構造を示す図
図１４は、図１３で示すＤ−Ｄ‘断面を示す図である。
図１５は、吸水材を含んだ冷却部を頭頂部まで一体にして延長した冷却カバー装着具の図
図１６は、図１５の冷却カバー装着具の断面Ｅ−Ｅ’を示し、ヘルメットをかぶった人に装着したことを示す図
図１７は、冷却カバー装着具の使用状態を示す図である。
【発明を実施するための形態】
【００１３】
以下に、図面を参照しながら本発明の形態と実施例を説明する。
図１は本発明の一実施形態である冷却服の前側の概略正面図、図２は本発明冷却服の図１で示すＡ−Ａ‘の概略断面図である。
【００１４】
本実施形態の冷却服１０は人体の上半身にベストの様に着用され、その上半身を冷却し、暑さ対策や熱中症対策に使用するものである。
この冷却服１０の前側ほぼ全面に渡って、自重の数倍の水分を吸水保水できる吸水材１１が面状に設けられ、その面状の吸水材は同じく吸水材と同様な面を有する中間布１２と防水布またはシート１３とに挟まれて裏表両面を包む様にし、それらに封入状態に成るように四方周囲が縫製や熱接着等で封止するよう構成されている。
【００１５】
さらに、冷却服１０の上部にて外側布２２を突き破り、前記中間布１２に開口部水の入れ口（注水口）１４を設ける、このとき、前記面状の吸水材１１と同じく面状の防水布またはシート１３の間に、若干の隙間を設ければ、図１、図２で示すように、前記水の入り口からペットボトル１５等で水を挿入でき、前記面状の吸水材１１に水分を補給することができる。
【００１６】
このとき、その水が、広い面状の吸水材１１のほぼ全面にわたり、上部から下端方向に、かつ、前記吸水材１１の左、右端まで左右も含め全面に分散し、均等に供給され、吸水保水するようにすることが、本発明の課題の一つである。
そこで、面状の吸水材１１を挟んで、適応複数箇所に縫製加工、高周波熱接着、または、化学接着材によるシール接着加工等により中間布１２と防水布またはシート１３を所々線状に接続、接着し、水平方向に長さを有する水の仕切り１６を設ける。この水の仕切り１６は水平に対し図１で示すように適度な傾斜角度をもたせると、水を貯水する水溜まり１７を生じさせ、いわゆる棚田の様に、水の仕切り１６の位置で、上から流れてくる水を貯水と下方への放水１８の両方を行う、連続階段状の水路１９を構成出来る。
【００１７】
前記述するように、本吸水材１１は人の上半身、ほぼ全面に渡る程の広い面状のものであり、本発明の解決すべき課題でも記述した様に、水の満たされた大きな容器の中に冷却服ごと、本吸水材全体を浸すのであれば、大きな面状吸水材の全体全面をほぼ分散均等に、水分を保水させられるが、そうではなく、冷却服の上端の水の入れ口（注水口）１４から水を挿入することだけで、かつ、人が着用しながら、本面状の吸水材１１の全面にわたり上部から下端方向に、かつ、前記吸水材１１の左、右端まで左右も含め全面の隅々へ分散し、均等に水を補給し、吸水保水させるには、前記適度な傾斜角度をもった水の仕切り１６を図１に示すように、冷却服１１の例えば前面で、吸水材１１全面に、複数広く分散させて設け、吸水材１１全面に渡りジグザクで、連続階段状の水路１９と、複数の貯水水溜まり１７を生じるように構成する必要がある。
これにより、吸水材１１、及び、中間布１２は毛細管現象により水溜まり１７の貯水を上方に吸い上げて、水仕切り１６の上方向の吸水材１１の面近傍を含め広く水分を補給し、吸水保水させることが出来る。この現象が吸水材全面で上下左右端まで複数分散して起こるので、時間の経過と共に吸水材１１の全面に隅々まで水分を浸透吸水保水させることができる。
【００１８】
この場合の毛細管現象は例えば吸水材の繊維隙間での表面張力と水の自重とでバランスし、水の上昇高さや水分の搬送量が決まることが知られている。
本発明の冷却服１０の冷却効果を最良の状態にする目的で、吸水材１１の選定の為の実験によれば、吸水材１１として、ポリアクリル酸ナトリウム塩を主成分とするポリマーを含有し、それを直紡した繊維で、目付２００ｇ／ｍ２、厚さ２ｍｍ、吸水量約２８００ｇ／ｍ２のものを使用時、毛細管現象による水分の上昇は１０分後には、前記水の仕切りの幅より広く、かつ、前記水の仕切り１６で出来る水溜まり１７の水面より上方向に高さ約５ｃｍ程の広い面にわたった。
その後３０分後で高さ約８ｃｍに、そして、２時間から５時間後でもほぼ同じで、高さ約１０ｃｍ程度で飽和、バランスし、限界に達した。
当然本発明の吸水材は上記に限定されるものでは無い、例えば、家庭で広く使われている、厚手の綿を素材に植毛を施したタオル布でも上記に近い吸水保水性と毛細管現象の性能が得られる場合があるので、それらを本発明での吸水材とすることも十分可能である。
【００１９】
実用的には、暑さ、熱中症対策として気化熱による上半身の冷却には、ほぼ３０分以内には吸水材１１の全面に渡り十分な吸水保水をさせたいと考え、本発明の冷却服１０に組み込まれた面状の吸水材１１の上下の必要高さ寸法を４０ｃｍ程度とした場合、上下に複数５段程度でそれを左右に割り振り増やした貯水水溜まり１７を設け、図１の様に連続階段状の水路を構成すると前記述の本発明の課題である広い面状の吸水材１１に、水の入り口１４より、水を挿入開始後、３０分後程度には吸水材１１の全面上下、左右、ほぼ隅々まで水を分散させ、均等に吸水保水させることが出来る。
このとき、丁度、前記水溜まり１７の水がほとんど、周辺の吸水材１１に毛細管現象で吸い上げられる様に成るように、水の仕切り１６の水平幅長さと傾斜角を設定すると良いことが分かった。このとき、吸水材１１として、特に前記ポリマーを含有、直紡した繊維を採用すると、その含有ポリマー粒子が水分を吸収し、それ自身の容積膨張により、前記直紡繊維の間隙を圧縮し、その集合体である吸水材１１は中間布１１の方向すなわち外側に水を漏らにくい、防水壁状態になることが分かった。これは、前記ポリマー粒子を大量に封入した袋が、洪水災害時の土のうとして使われていることが良く知られていることからも想像が付くことではある。
これにより、水溜まり１７に溜まった水は中間布１２を通過して外側に漏れることなく、全て、吸水材１１の前記水溜まり１７の水面より上方、左右近傍へ毛細管現象により分散、浸透吸水保水されることになり、具合いが良い、さらに、十分に保水された吸水材１１の中間布１２側の面はその後時間を経過して、外側との通気により、気化蒸発が促進され、それによる冷却効果を長時間得ることが出来、さらに非常に具合が良いことが分かった。
【００２０】
ただし、前記水路１９が階段状で複雑で、かつ、それが外部から見えない為、つい、水の入れ口（注水口）１４から水を大量に入れすぎ、内部の吸水材で吸水しきれない余分な水となったり、冷却服下端の防水布またはシートの折り返し部１０２まで達し、その側面を水封止１０３するように構成するが、その折り返し部１０２の上端から水が溢れ出たりする場合が生じる。
この課題の解決手段として、冷却服下端に水の到達検知部１０１を設ける。
これは、水の到達検知部１０１の部分のみ、非常に厚みのある吸水材を切り除き、吸水材の切り込み部３１を設け、その部分の防水布またはシート１３前面と、その折り返し面のみによる空間を水の到達検知部１０１として、水が溜まるように構成する。
【００２１】
これにより、水の入れ口１４からの水が、段階的に吸水材１１の上部から流れ、所々水溜まりができ、かつ、下端に達したとき、水の到達検知部１０１を親指４１と人差し指４２で断面方向に挟むと、水の到達度合いがその指の感触で、容易に、かつ、明確に判断できる。
図３は本発明冷却服下端の水の到達検知部近傍を示す図、図４は図３で示すＢ−Ｂ’断面を示す図で、（ａ）は指で感触検知する前の状態を示す図、（ｂ）は親指と人差し指で感触し、水の到達検知をしていることを示す図である。
この水の到達検知手段の別な実施例として、水の到達検知部を外部から目視できるように、ここだけその外側布２２、中間布１２、防水布またはシートの折り返し部１０２を透明にしたり、透明な水を可視できるチューブを新たに検知部１０１差し込むように設け水の到達検知部の水位を表示できるサイホンを構成してもその手段を得ることができる。
【００２２】
図２では、吸水材の水分が、通気性の良い中間布１２、同じく通気性の良い化粧目的の外側布２２を通して、外側に気化して熱を奪う様子２３を示し、吸水材１１、防水布またはシート１３が冷えることにより主に熱伝導熱２４で体側２１を冷却することを示している。
この場合、体側２１には放水布に阻まれて、気化蒸発による湿気が来ないので、体側に下着等を着用時、その下着が濡れないので、比較的体からの発汗量が少ない、屋外での土木や建築労働作業等に向いている。
【００２３】
これに対し、図１１は防水布またはシートを外側に配置した例を示す図である。
この場合、吸水材１１の水分の気化は例えば通気性を持たせた中間布１２と体側２１の隙間で行われる。１１１はその気化熱で体から熱を奪う様子の気流の流れを示す。この場合は、中間布１２の吸汗性等素材性能にもよるが、気化熱で体は冷却されるが、気化蒸発による湿気にもさらされる。ただし、これは、例えば、発汗を大量に行う、また、積極的に発汗させる動作の激しい各種スポーツを楽しんでいる場合はさほど気にならないので、別途下着を着用せずに、この冷却服を直接体に着用して、快適に使用することが出来る。このように、図１１のような配置構成の例も本発明の他の実施例として有効である。
【００２４】
さらにこのとき、防水布またはシート１３も中間布１２も、防水性と通気性を兼ね備えた機能を持つ布の、いわゆる防水透湿布で構成すれば、図２でも図１１の構成でも、体側２１を濡らすほどの湿気にさらすことなく、気化熱による冷却を得ることも可能である。
【００２５】
図５は、本発明の冷却服を着用して水を挿入している使用状態を示す図で、着用者が、例えば左手で、冷却服１０下端前面の水到達検知部１０１を指で感触し、前記水が下端まで達する度合いを確認しながら、右手でペットボトル１５から冷却服１０の上部の水の入れ口１４に水を挿入している使用状態を示している。
【００２６】
本発明の試作による実験によれば、前記図５のような使用状態では、ペットボトルから挿入する水の量、冷却服の上部から水到達検知部に到達する時間、及び、図４の（ａ）、（ｂ）で示している様に前記検知部１０１の膨らみ具合を感触して水の下端への到達量を検知するという、３条件により、着用者自身が幾度か経験的に学習して認知し、これにより、結果的に吸水材１１への吸水保水量を調整し、それにより気化熱発生量による冷却度合いを調整出来ることが分かった。
これにより、本発明の冷却服の着用時の気温、周囲に焼却炉等の発熱源の有無等周辺環境や、着用者の活動状況に合せ、より快適に成るように使用することができる画期的な効果が追加された。
【００２７】
図６は本発明の冷却服の機能を後面（背中面）にも設けたことを示す図である。
着用者が例えば右手でペットボトル１５の水を水の入れ口１４から、冷却服１０の肩越しから長いパイプ６１を設け、後面（背中面）に配置された図１、２で示した同様の本発明の冷却服の面状の吸水材１１に水を吸水保水できるように構成したものである。
この後面にも水到達検知部１０１を設け、前記述したように左手で下端への水の到達を検知しながら上部より水の挿入量を調整できる。
【００２８】
図７は本発明の冷却服の下端に空気挿入ダクトによる空気取り入れ口と電池駆動等の電動小型フアンを設けた例を示す図である。
前記述の図１、２を用いて説明した本発明冷却服１０の内部の貯水する水溜まり１７を作る、適度な傾斜角を有する複数の水の仕切り１６により構成される水路１９は、挿入された水が、吸水材１１の毛細管現象により面状に吸収吸水された後は空洞になり、下端に設けられた電動小型フアン７１と空気挿入ダクトによる空気取り入れ口７２から送風される空気に対し、傾斜角が順風方向の風圧損が少ない風路７３を構成できる。
【００２９】
前記小型フアン７１の駆動により吸入空気７４は防水布またはシート１３と吸水材１１の隙間の空洞風路７３を、冷却服の下端から流れ、冷却服１０前面のほぼ全面にわたる吸水材１１表面の気化を大いに助長し、気化熱による冷却効果を大きく作用させながら、水の入れ口１４より排気される。
この様に本発明の冷却服１０において、その下端に小型フアン７１を取り付けた時には、水の入れ口１４は空気排気口に、水路１９は風７５が流れる風路７３に、前記水の仕切り１６は、前記風圧損が少なく、吸水材全面に渡って階段状に風路を構成するための仕切り７６になり、それぞれ兼ねて使用できるという、コスト的にはいわゆる一石２鳥の効用をもたらすことが出来る。図中７５は、前記風路７３を通る風の流れを示している。
このように、小型フアン７１により気化を助長した場合と、それが無い場合とでは冷却効果による快適感は着用者にとって、大きな差となり、高温作業現場等一層熱環境の悪いところでの着用が可能となった。
【００３０】
図８は本発明の冷却服の水の仕切りをダムのように構成したことを示す図である。
前記述図１で説明した、適度な傾斜角度を有する貯水水溜まり１７を作るための水の仕切り１６と同じ作用をさせる方法として、図８に示すように、複数の水平に中間布１２と防水布またはシート１３を縫製、または接着させた水平な水仕切り８１と、水平方向に適度な高さを有する関のように、同じく縫製または接着された垂直な水仕切り８２とで、貯水とオーバフローによる放水を行うダムの様に構成しても同様本発明の効果が得られることを念のため記載する。
【００３１】
図９は本発明の冷却服の水の仕切りの別の構成実施例を示す図である。
図１０は図９で示したＣ−Ｃ’断面を示す図である。
本実施例での面状の吸水材１１は、前記水の仕切りの周辺の切り抜き９１があるように構成される。図１で前記述説明した、適度な傾斜角度を有し、水の貯水とオーバフローによる放水を行う水の仕切りは、図９と１０で示す様に防水布またはシート１３と中間布１２とを高周波熱接着や化学接着剤等でシール接合部９２として構成することもできる。
図９と図１０中に置いて、９１は面状吸水材１１の部分的な切り抜き部、９２は高周波熱接着等によるシール結合部による水仕切りである。
このとき、前記述したように、中間布１２と防水布またはシート１３の両方を例えばフッ素樹脂のポリテトラフルオロエチレン等を主成分とする様ないわゆる防水透湿性布とすれば、前記高周波熱接着等で容易に前記シール結合部９２を構成でき、かつ、気化熱による冷却効果の有する冷却服を低コストの加工法で得ることができる。
次に、本発明の頭部を冷やす冷却カバーでの実施形態の一例を説明する。
［図１２］は本発明の頭部を冷やす冷却カバーの使用状態を示す図である。
頭部を保護する帽子又は、ヘルメット１２１に注水口１２２が設けられた頭部を冷やす冷却カバー１２３（以後、冷却カバーと言う）が前バンド１２４により取り付けられている。
１２５は前記注水口から冷却カバー１２３の内部に水を入れようとしている水が入っているペットボトルである。
図１３は本発明の冷却カバーの構造を示す図で、冷却カバー１２３を内側から見た図である。頬をも覆える程の面積を有する防水透湿布を素材とする外側のカバー部１３２と、同じく防水透湿布を素材とする内側のカバー部１３３は、頭部又は後頭部を覆う程度の面状の吸水材１３１を挟んで（サンドイッチ状にして）、密閉空間をつくる様に、内側カバー部の四辺周囲を熱融着接合シール１３４する様構成する。
また、所々に、吸水材をくり抜いて、吸水材を垂直方向に保持、および、水路を形成の為、前記外側カバー部と内側カバー部を接合加工する個所１３１０を設ける。
前記外側カバー１３２上部で、前記密閉空間に水を注水出来る位置に注水口１２２が設けられている。この時、前記吸水材１３１の縦方向（垂直方向）の例えば中間位置程等の分割した位置で、水平方向に長さを有して、注水口１２２から入れられた水が適応に溜まる様に、かつ、あふれた水は下に流れるように例えばＶ字形状の、外側カバー部１３２と内側カバー部１３３を熱融着結合して、水溜りを作るための水仕切り接着シール部１３５を設ける。
この時、そのシール部部分の吸水材１３１はくり抜いておくと良い。
これにより、注水口１２２より注水された水１３６は、前記水溜りを作るための水仕切り接着シール部１３５で水溜り１３７が出来、あふれた水１３８はその下方で別の水溜り１３９を作る。
吸水材１３１の素材密度にもよるが、一般に低コストで利用できる吸水材の毛細管現象による水分の上昇高さ限度は垂直方向に８ｃｍから７ｃｍである。
例えば本発明の冷却カバーの吸水材１３１の縦方向（垂直方向）の高さが１５ｃｍ程度とした場合、ちょうどその中間位置程の分割位置に前記水溜りを作るための接着シール部１３５を設けると、毛細管現象を利用し、吸水材１３１の水仕切り接着シール部１３５より上方向の高さ例えば８ｃｍ程の全域にわたり均一に、長時間水分を補給することが出来る。
さらに、それより下方向の高さ例えば７ｃｍ程の全域は、下方で別の水溜り部１３９から吸水材１３１がその毛細管現象で、均一に水分が補給される。
これにより、吸水材１３１の高さ１５ｃｍの全面領域から、均一に、外側カバー部１３２を通し、水分を気化させ、その気化熱で内側カバー部１３３に接する頭部側は長時間の冷却効果を得ることが出来るものである。
図１４は、図１３で示すＤ−Ｄ‘断面を示す図である。
図１４と図１３での符号は同一な物を示している。吸水材１３１が垂直方向面で、上下均一に保水され、その気化水分が、防水透湿布で構成された外側カバー部１３２、および内側カバー部１３３から透湿され、気化熱冷却により後頭部側
１４０の熱が冷却カバー１２３を通して外部に放熱される様が分かる。
実験によれば、外側カバー部１３２、及び、内側カバー部１３３の両方に使った透湿量が、１３，５００ｇ／ｍ２／２４ｈｒ程度の性能の防水透湿布を使用した場合、外気温３３℃〜３８℃環境下で、注水口１２２から例えば１０℃、１３０ｍｌの冷水を入れた場合、気化量は１時間な当たり１７ｍｌ程度であり、内側カバー部の接触温度は２０℃〜２８℃で６時間程度の気化熱冷却効果を得ることができた。
これは、一般に、吸水材を通常の水を通す布で挟み込んだ構成で、それを水に浸し、軽く絞って使用する、気化熱冷却を用いた同様な冷却カバーの約２倍の冷却持続時間を得られる効果があった。
さらに、図１５は吸水材を含んだ冷却部を頭頂部まで一体にして延長した冷却カバー装着具の図である。図１６は図１５の冷却カバー装着具の断面Ｅ−Ｅ’を示し、ヘルメットをかぶった人に装着したことを示す図である。
図１７は冷却カバー装着具の使用状態を示す図である。
前記水溜り１３７等の水の近傍または水に接して、ペルチエ効果による電子冷却器の冷却素子や保冷剤等の冷却源１５１を設けると、夏の屋外作業時に、周辺大気で例えば３０℃等に高温に成った、水溜り１３７の水を、１０℃前後に冷却できる。そこで、図１７で示す装着部１５０の使用状態を（ａ）から（ｂ）の状態へ、例えば冷却部を頭頂部まで一体にして延長した冷却カバー装着具１５０を頭部に被ったままで、頭頂部までの一体冷却延長部１５２の中の吸水材１５３まで、前記水溜り１３７の水が重力で逆流するほど頭を一時的に下げる。そして次に、また、戻すという姿勢動作をすると、前記冷却された水溜り１３７の水は、カバー上部の吸水材１３７や同じく頭頂部の吸水材１５３を冷やして浸透し、かつ、前記冷却器に接していない他の水溜りの水と混ざり、温まった水が前記冷却素子を設けた水溜り１３７に戻ってくる。
この動作を、約３０分から１時間毎に繰り返すと、常に、前記冷却源１５１で冷やされた水分を、冷却カバー装着具１５０全体に均一的に配分することができる。図中、１６０はペルチエ効果による電子冷却素子等の冷却源１５１を駆動する為のヘルメットに装着された電源部を示す。
これは、冷却水を上下に循環させる新たな原動力を必要とするポンプや、目づまりを起こしやすい配管機構を必要とせず、低コストで前記均一的を実現できる効果がある。
また、同様に、本発明の冷却服でも、図１の水溜り部のどこかに、又は最下端水溜りが出来やすい位置に、例えば図７で示す電動小型フアン７１の代わりに、前記冷却素子や保冷剤等の冷却源１５１を設けて、時々、その冷却服を着用のまま、前かがみになる動作をして、冷却服全体内の水溜り部の水を上下逆流させ、姿勢をもとに戻すことにより、前述と同様に、冷却服全体に均一的に、前記冷却水を配分でき、冷えた水分の気化熱でさらに大きな冷却効果を得ることが出来る。
図では示していないが、前述での冷却源１５１として保冷剤を使う時は、冷却カバー１３２や冷却服１０に、それを保持できるポケットを設けると良い。
図での説明は省略するが、本発明の冷却カバーは人の頭部の炎天下や高温環境下で利用できるだけでなく、犬や馬等の頭部や体部に覆う様に形状を変えれば、その夏の暑さ対策にも使用できる、冷却装着具となるものである。
特に、前記の吸水材を通常の水を通す布で挟み込んだ構成の冷却カバーと比べると、肌に接する裏側が、水で濡れないのでベト着き感がなく、人はもとより、前記、犬、馬等の動物が着用を嫌がらないという利点効果がある。
また同様に、表面が水に濡れないので、電気絶縁性も比較的良く、電気工事作業にも使いやすいと言う効果もある。
図の説明で、本発明の冷却服１０での実施例と冷却カバー１２３の実施例の説明において、それぞれ、吸水材１１と吸水材１３１、水溜まり１７と水溜まり１３７等同じ名称で同じ役割をするものがあるが、それぞれ、同一発明ではあるが、その実施例毎での説明をわかりやすくするために、図面番号に合わせて異なる符号を付けたものである。
【産業上の利用可能性】
【００３２】
最近、年々地球の温暖化が進行している、まして、都市部ではビル内等の空調の排熱が外に放出され、いわゆるヒートアイランド現状が起きている。
このような状況下で、とくに、都市部の屋外で、夏の炎天下での土木、建築作業、設備保守作業等では、作業者の熱中症への注意が強く叫ばれてきており、労働衛生安全上大きな問題に発展してきている。
今まで、頭部や首筋等、体の一部を冷却する発明は存在していたが、例えば本発明の様に低コストで、上半身全体を、かつ、本発明の様に着用しながら、気化熱による冷却効果を継続させるための水分の補充を行え、かつ、補充水分の適量を検知でき、さらに、小型フアンの送風により、効率的、低コストで、上半身を全面広く、気化を助長させ、冷却効果を一層高めた冷却服を提供できれば、
前記の暑さ対策、熱中症対策をめぐる労働衛生安全上の解決に寄与でき、産業上の利用価値が非常に大きいものである。
また、同様本発明の冷却カバーでは、一般に、吸水材を通常の水を通す布で挟み込んだ構成で、それを水に浸し、軽く絞って使用する、気化熱冷却を用いた同様な冷却カバーの約２倍の冷却持続時間を得られる。また、前記した様に、犬等のペットや、馬等の家畜の熱中症対策にも使える冷却装着具ともなるので、産業上の利用価値の大きいものである。
【符号の説明】
【００３３】
１０  本発明の冷却服
１１  吸水材
１２  中間布
１３  防水布またはシート
１４  水の入れ口（注水口）
１５  ペットボトル
１６  水の仕切り
１７  水溜まり
１８  下方への放水
１９  水路
２１  体側
２２  外側布
２３  気化して熱を奪う様子
２４  熱伝導熱
３１  吸水材の切り込み部
１０１  水の到達検知部
１０２  防水布またはシートの折り返し部
１０３  水封止
４１  親指
４２  人差し指
６１  パイプ
７１  電動小型フアン
７２  空気挿入ダクトによる空気取り入れ口
７３  風路
７４  吸入空気
７５  風
７６  仕切り
８１  水平な水仕切り
８２  垂直な水仕切り
９１  切り抜き
９１  シール結合部
１２１  ヘルメット
１２２  注水口（水の入れ口）
１２３  冷却カバー
１２４  前バンド
１３２  外側カバー部
１３３  内側カバー部
１３５  水仕切り接着シール部
１３１０  外側カバー部と内側カバー部を接合加工する個所
１４０  後頭部側
１５０  冷却部を頭頂部まで一体にして延長した冷却カバー装着具
１５１  冷却源
１５２  頭頂部までの一体冷却延長部
１６０  電源部
【図１】
0006008301.tif 000002
【図２】
0006008301.tif 000003
【図３】
0006008301.tif 000004
【図４】
0006008301.tif 000005
【図５】
0006008301.tif 000006
【図６】
0006008301.tif 000007
【図７】
0006008301.tif 000008
【図８】
0006008301.tif 000009
【図９】
0006008301.tif 000010
【図１０】
0006008301.tif 000011
【図１１】
0006008301.tif 000012
【図１２】
0006008301.tif 000013
【図１３】
0006008301.tif 000014
【図１４】
0006008301.tif 000015
【図１５】
0006008301.tif 000016
【図１６】
0006008301.tif 000017
【図１７】
0006008301.tif 000018